(57)【要約】【課題】  使用時には簡単に組み立てることができ、収納時にはコンパクトに折りたたむことができる樹木移載用枠体を提供する。【解決手段】  植栽されている樹木の根を、周囲の土壌とともに囲んで保持する矩形の枠体において、３枚の側板２〜４を回動可能にそれぞれ連結してコ字状またはＺ字状に変形可能な主枠部５と、コ字状に形成された主枠部５の両端部に着脱可能に取り付けられた固定板６とを備え、搬送時および収納時にはＺ字状に折りたたんでコンパクトに形成でき、場所をとらず、使用時には、Ｚ字状の主枠部５の側板２〜４を回動させて開くだけで簡単にコ字状に形成できる。【選択図】          図１
2005270035.tif 000002
【特許請求の範囲】
【請求項１】
植栽されている樹木の根を、周囲の土壌とともに囲んで保持する矩形の枠体において、
３枚の側板を回動可能にそれぞれ連結してコ字状またはＺ字状に変形可能な主枠部と、
コ字状に形成された前記主枠部の両端部に着脱可能に取り付けられた固定板とを備えたことを特徴とする樹木移載用枠体。
【請求項２】
前記主枠部および前記固定板は木製であることを特徴とする請求項１記載の樹木移載用枠体。
【請求項３】
前記主枠部の隣接する前記側板は、それぞれ蝶番により連結され、両端部に配置された側板の回動角度は、一方が９０°で他方が２７０°に設定され、前記主枠部をＺ字状に形成したときは、隣接する前記側板が平行に配置されることを特徴とする請求項１または２に記載の樹木移載用枠体。
【発明の詳細な説明】
【技術分野】
【０００１】
本発明は、樹木の移載に用いられる樹木移載用枠体に関する。
【背景技術】
【０００２】
従来、樹木の移載に用いられる樹木移載用枠体として、本出願人が従前に出願した特許文献１に記載のものがある。
【０００３】
図６は従来例に係る樹木移載用枠体の斜視図、図７は同樹木移載用枠体の使用状態を示す斜視図を示す。
図６に示すように、樹木移載用枠体７０は、板材７１、７２、７２ａおよび隣接する板材の角部に設けられた角度保持用の補強材７３を組み合わせてコ字状に形成されたユニット枠７４と、このユニット枠７４の開口部を閉塞する閉塞板７５を有している。
閉塞板７５の両端部には、掛け金７６が設けられ、ユニット枠７４の両端部には掛け金に掛合するフック７７が設けられている。
【０００４】
図６，図７に示すように、樹木移載用枠体７０のユニット枠７４は、樹木掘削用バケット７８の内側に配置して使用する。
樹木掘削用バケット７８は、コ字状の側枠７９と、側枠７９の下部に設けられ、側枠７９の開口方向に向けて突出する複数本のフォーク８０を備えている。
樹木掘削用バケット７８にユニット枠７４を配置し、ユニット枠７４の開口部を樹木が植栽されている土壌に挿入し、ユニット枠７４内に樹木の根および周囲の土壌を収納し、樹木を掘り取る。
【０００５】
この状態で閉塞板７５の掛け金７６をユニット枠７４のフック７７に掛合させて樹木移載用枠体７０を形成し、樹木移載用枠体７０および保持された樹木および土壌を、図示しないパレット上に載置する。
そして、パレットと樹木移載用枠体７０を固定した後、フォークリフト等の重機やトラック等の運搬手段を用いて他の場所に移動している。
【０００６】
【特許文献１】特開２００２−１７１８３号公報
【発明の開示】
【発明が解決しようとする課題】
【０００７】
しかしながら、前記従来の樹木移載用枠体７０は、ユニット枠７４をコ字状に形成しているので、非常に嵩張り、多数のユニット枠７４を保管するために広い資材保管場所が必要になっている。また、現場までの輸送時にも１台のトラックに積載できる数が限られ、非常に扱いにくい。
【０００８】
また、ユニット枠７４を構成する板材を現場で組み立てると、保管および搬送時に管理が必要な部品点数が増え、また、多数の釘打ちが必要となるため、現場での作業に時間がかかるとともに精度よく組み立てることが困難になり、使用時に釘が外れて分解する等信頼性が低下することになる。
【０００９】
そこで本発明が解決しようとする課題は、使用時には簡単に組み立てることができ、収納時にはコンパクトに折りたたむことができる樹木移載用枠体を提供することにある。
【課題を解決するための手段】
【００１０】
前記課題を解決するため、本発明の樹木移載用枠体は、植栽されている樹木の根を、周囲の土壌とともに囲んで保持する矩形の枠体において、３枚の側板を回動可能にそれぞれ連結してコ字状またはＺ字状に変形可能な主枠部と、コ字状に形成された前記主枠部の両端部に着脱可能に取り付けられた固定板とを備えている。
【００１１】
主枠部および固定板は、例えばアルミニウム等の軽量金属や、木材やプラスチック等を用いることができる。
主枠部がコ字状またはＺ字状に変形可能なので、搬送時および収納時にはＺ字状に折りたたんでコンパクトに形成でき、場所をとらない。
また、使用時には、Ｚ字状の主枠部の側板を回動させて開くだけで簡単にコ字状に形成できる。
ここで、Ｚ字状とは、３枚の側板のうち隣接する２枚の側板間の角度が９０°より小さくなることをいう。コ字状とは、前記２枚の側板間の角度が９０°±１０°の範囲になることをいう。
【００１２】
前記主枠部および前記固定板は木製にすることが好ましい。
樹木移載用枠体は、土壌を保持しているので、この状態では、下側から土がこぼれてしまう。このため、地上に木製のパレットを敷いて、樹木移載用枠体をこの上に載置し、パレットと樹木移載用枠体を固定することがある。
【００１３】
しかし、重機による作業の精度が悪いため、決められた位置に合わせることは困難で、位置ずれが生じることになる。また、樹木移載用枠体は、樹木を保持した状態では重量が大きいため、位置ずれの修正が困難であり、ボルト及びナットを用いることができない。
【００１４】
主枠部および固定板を木製にすることにより、パレットとの固定に釘を用いることができるので、重機による搭載位置のずれを許容でき、作業時間が短縮される。
また、木製にすることにより、管理が容易で、軽量で取り扱いも便利になる。
【００１５】
前記主枠部の隣接する前記側板を、それぞれ蝶番により連結し、両端部に配置された側板の回動角度を、一方を９０°で他方を２７０°に設定し、前記主枠部をＺ字状に形成したときに、隣接する前記側板を平行に配置することが好ましい。
Ｚ字状に形成したときに隣接する側板を平行に配置するので、全体の厚みが略側板３枚分の厚みになる。この中間位置にある側板を規準にして、両端部に設けられた側板のうちの一方を９０°回動させ、他方を２７０°回動させると、側板は、コ字状に形成される。
コ字状に形成した主枠部の内面には、使用時に土壌が付着するが、これを使用後に取り外してＺ字状に折りたたんだときは、側板の内面と、他の側板の外面が当接することがなく、土壌が外側面に付着することはない。
【００１６】
各側板は蝶番で連結されているので、一定の角度だけ回動したときに側板が当接するように取り付けると、簡単に角度を規制できる。
また、両端部の側板をどのような長さに形成しても、折りたたむことができ、例えば、両端部の側板を中間部の側板より長く形成することができる。
なお、両端部の側板の長さは、樹木の掘り取り時に両側のバランスをよくするために同じ長さであることが好ましい。
また、ここでいう９０°および２７０°という角度は、±１０°程度の誤差を含んでいる。また、平行とは、２面の間の角度が０°程度であることをいうが、±１０°程度の誤差を含んでいる。すなわち、蝶番で連結された基端部は離れているが、先端部は当接している状態も当然に含まれる。
【発明の効果】
【００１７】
本発明によれば次の効果を奏する。
（１）主枠部がコ字状またはＺ字状に変形可能なので、搬送時および収納時にはＺ字状に折りたたんでコンパクトに形成でき、場所をとらない。また、主枠部の使用時には、Ｚ字状の主枠部の側板を回動させて開くだけで簡単にコ字状に形成できる。すなわち、使用時には簡単に組み立てることができ、収納時にはコンパクトに折りたたむことができる。また、Ｚ字状に変形するので、両端部を中間部より長くすることができ、形状の制約を小さくできる。
（２）主枠部および固定板を木製にすると、パレットとの固定に釘を用いることができるので、重機による搭載位置のずれを許容でき、作業時間が短縮される。また、管理が容易で、軽量で取り扱いも便利になる。
（３）Ｚ字状に形成したときに隣接する側板を平行に配置するので、全体の厚みが略側板３枚分の厚みになり、コンパクトに形成できる。
（４）各側板を蝶番で連結すると、一定の角度だけ回動したときに側板が当接するように取り付けて、簡単に角度を規制できる。
【発明を実施するための最良の形態】
【００１８】
以下、本発明の実施の形態について説明する。
（第１の実施の形態）
図１は本発明の第１の実施の形態の樹木移載用枠体の斜視図、図２は同樹木移載用枠体の主枠部を広げた状態を示す平面図、図３は同樹木移載用枠体の主枠部を折りたたんだ状態を示す平面図である。
【００１９】
図１に示すように、本発明の樹木移載用枠体１は、植栽されている樹木の根を、周囲の土壌とともに囲んで保持するもので、使用時には、矩形に形成されている。
樹木移載用枠体１は、３枚の側板２〜４を回動可能にそれぞれ連結してコ字状またはＺ字状に変形可能な木製の主枠部５と、コ字状に形成された主枠部５の両端部に着脱可能に取り付けられた木製の固定板６とを備えている。
【００２０】
樹木移載用枠体１は、側板３の両端部に側板２，４を、釘やねじ等の固定手段を用いてそれぞれ３つずつ取り付けた蝶番７，８によって、独立して回動可能に連結している。
蝶番７は、主枠部５をコ字状に配置した状態で、側板２，３の当接部の内側角部に設けられている。側板２は、側板３との間の角度を狭めるように９０°回動でき、蝶番７が閉じたときは、側板２，３は平行に配置される。
【００２１】
一方、蝶番８は、主枠部５をコ字状に配置した状態で、側板３，４の当接部の外側角部に設けられている。側板３は、側板４との間の角度を広げるように２７０°回動でき、蝶番８が閉じたときは、側板３，４は平行に配置される。
【００２２】
図３に示すように、側板２〜４が平行に配置された状態では、主枠部５は裏側から見てＺ字状となるように形成されている。このときの主枠部５の厚みは、３枚の側板２〜４の厚みと、蝶番７，８のうちの一方を閉じたときの厚みに等しく、無駄な空間部がなく、コンパクトに形成される。
また、蝶番８の幅に対して側板２〜４が十分に長い場合には、側板２〜４が屈曲して、両側の側板２，４の外側端部１４，１５が中間部の側板３の両端部にそれぞれ当接するので、安定性もよくなる。
【００２３】
側板２，４のそれぞれの外側端部には、フック部９，１０が設けられている。
また、固定板６の両端部には、ハンドル１１により開閉可能な爪部１２，１３が設けられている。
【００２４】
側板２，４を、図３に示すＺ字状の状態からそれぞれ９０°、２７０°ずつ回動させ、図２に示すようにコ字状に変形させ、側板２，４のフック部９，１０に固定板６の爪部１２，１３を掛合することにより、樹木移載用枠体１は、矩形に形成される。
固定板６を使用するときには、主枠部５の内部に土壌が充填されている状態なので、矩形の樹木移載用枠体１は変形しにくくなっている。
【００２５】
主枠部５の中間部の側板３の下部と、固定板６の下部のそれぞれ２カ所ずつには、凹形の溝部１６が形成されている。溝部１６は、２本のフォークを備えた市販のフォークリフトの幅に合わせてそれぞれ形成されている。
【００２６】
次に、樹木移載用枠体１の使用状態について説明する。
保管時には、主枠部５はＺ字状に形成された状態で積み重ねることができ、倉庫内の保管スペースを小さくすることができる。
また、主枠部５は、Ｚ字状のまま現場まで搬送することができ、トラック等の搬送手段の積載効率を上げることができる。
【００２７】
主枠部５は現場でコ字状に形成されて、重機に設けられた樹木掘削用バケット（図示せず）の内側に配置される。このとき、主枠部５の９０°回動させた方の側板２は、樹木掘削用バケットの内側に回動可能なので、側板２の外側端部および樹木掘削用バケットに、互いに掛合可能な掛止部を設けておくことが好ましい。
【００２８】
次いで、重機を操作して、目標とされた樹木を掘り取り、主枠部５内に土壌とともに収納する。この土壌は直方体状に形成されている。
次に、主枠部５に固定板６を取り付けて、樹木移載用枠体１を形成し、樹木を保持した状態の樹木移載用枠体１を、パレット（図示せず）上に置く。
パレットは、樹木移載用枠体１の矩形の空間部より小さく形成されており、樹木移載用枠体１は、パレットを覆うようにして配置される。
【００２９】
フォークリフトで、樹木移載用枠体１の溝部１６にフォークを挿入すると、パレットも同時に持ち上がる。この状態で樹木移載用枠体１およびパレットで保持された樹木を移設場所まで運ぶことができ、また、遠方まで運ぶ場合には、トラック等に載置することができる。
【００３０】
移設場所においては、固定板６を取り外し、次いで主枠部５を取り外して樹木をパレットごとクレーン等で吊り上げ、所定の場所にパレットごと植える。
使用後の主枠部５は、Ｚ字状に折りたたみ、固定板６とともに持ち帰る。
このようにして樹木移載用枠体１を使用することができる。
なお、パレットは、樹木移載用枠体１の外形より大きなものも使用でき、この場合には、釘で打ち付けて固定することができる。また、パレットは、樹木を植えるときには取り外して持ち帰ることも可能である。
【００３１】
（第２の実施の形態）
図４は本発明の第２の実施の形態の樹木移載用枠体の主枠部を広げた状態を示す平面図、図５は同樹木移載用枠体の主枠部を折りたたんだ状態を示す平面図である。
【００３２】
第２の実施の形態の樹木移載用枠体は、主枠部１８の側板１９〜２１の蝶番の固定部分に溝部１７を形成したものである。
溝部１７を形成することによって、主枠部１８を折りたたんだときに、側板１９〜２１がそれぞれ当接する。かかる構成によって、折りたたんだときの安定性を向上させることができる。
【産業上の利用可能性】
【００３３】
本発明の樹木移載用枠体は、樹木をパレット上に載せて重機やトラック等の運搬手段を用いて他の場所に移動するための移載用枠体として有用である。
【図面の簡単な説明】
【００３４】
【図１】本発明の第１の実施の形態の樹木移載用枠体の斜視図である。
【図２】同樹木移載用枠体の主枠部を広げた状態を示す平面図である。
【図３】同樹木移載用枠体の主枠部を折りたたんだ状態を示す平面図である。
【図４】本発明の第２の実施の形態の樹木移載用枠体の主枠部を広げた状態を示す平面図である。
【図５】同樹木移載用枠体の主枠部を折りたたんだ状態を示す平面図である。
【図６】従来例に係る樹木移載用枠体の斜視図である。
【図７】同樹木移載用枠体の使用状態を示す斜視図である。
【符号の説明】
【００３５】
１  樹木移載用枠体
２〜４  側板
５  主枠部
６  固定板
７，８  蝶番
９，１０  フック部
１１  ハンドル
１２，１３  爪部
１４，１５  外側端部
１６  溝部
１７  溝部
１８  主枠部
１９〜２１  側板
【図１】
2005270035.tif 000003
【図２】
2005270035.tif 000004
【図３】
2005270035.tif 000005
【図４】
2005270035.tif 000006
【図５】
2005270035.tif 000007
【図６】
2005270035.tif 000008
【図７】
2005270035.tif 000009